(57)【要約】【課題】定着面側部材の暖気効率を向上させつつ、定着不良の発生を防止することが可能な定着装置、画像形成装置および定着制御方法を提供する。【解決手段】トナー像が形成された記録媒体の定着面側に配置される定着面側部材と、定着面側部材に巻き掛けられた定着ベルトと、定着ベルトを介して定着面側部材に圧接された状態において、記録媒体を狭持して搬送する定着ニップを形成する裏面側支持部材と、定着ベルトを内側から加熱する、回転可能な加熱ローラーと、定着ベルトを介して裏面側支持部材に圧接する第１圧接位置と、加熱ローラーに圧接する第２圧接位置との間で、定着面側部材を移動させる第１移動部と、印字時において定着面側部材を第１圧接位置に移動させる一方、印字時以外において定着面側部材を第２圧接位置に移動させるように第１移動部を制御する制御部と、を備える。【選択図】図４
2017058586.tif 000002
【特許請求の範囲】
【請求項１】
トナー像が形成された記録媒体の定着面側に配置される定着面側部材と、
前記定着面側部材に巻き掛けられた定着ベルトと、
前記定着ベルトを介して前記定着面側部材に圧接された状態において、前記記録媒体を狭持して搬送する定着ニップを形成する裏面側支持部材と、
前記定着ベルトを内側から加熱する、回転可能な加熱ローラーと、
前記定着ベルトを介して前記裏面側支持部材に圧接する第１圧接位置と、前記加熱ローラーに圧接する第２圧接位置との間で、前記定着面側部材を移動させる第１移動部と、
印字時において前記定着面側部材を前記第１圧接位置に移動させる一方、印字時以外において前記定着面側部材を前記第２圧接位置に移動させるように前記第１移動部を制御する制御部と、
を備える、定着装置。
【請求項２】
前記加熱ローラーは、前記印字時において前記加熱ローラーが回転することにより前記定着ベルトが従動回転する一方、前記印字時以外において前記加熱ローラーの回転に対し前記定着ベルトが滑るように構成されている、
請求項１に記載の定着装置。
【請求項３】
前記定着ベルトに対する前記加熱ローラーの摩擦係数は、前記印字時において前記加熱ローラーが第１方向に回転することにより前記定着ベルトが従動回転する一方、前記印字時以外において前記加熱ローラーの前記第１方向と逆の第２方向の回転に対し前記定着ベルトが滑るように設定される、請求項２に記載の定着装置。
【請求項４】
前記定着ベルトを内側から支持する支持部材と、
前記支持部材を移動させる第２移動部と、
をさらに備え、
前記制御部は、前記印字時以外において前記第２移動部を制御し、前記印字時と比べて、前記定着ベルトのうち前記定着面側部材が前記第２圧接位置に移動することにより弛んだ部分が前記定着ニップから離間する方向に、前記支持部材を移動させる、
請求項１から３のいずれか一項に記載の定着装置。
【請求項５】
前記定着ニップを形成するニップ形成位置と、前記定着ニップを形成しない非ニップ形成位置との間で、前記裏面側支持部材を移動させる第３移動部をさらに備え、
前記制御部は、前記印字時において前記裏面側支持部材を前記ニップ形成位置に移動させる一方、前記印字時以外において前記裏面側支持部材を前記非ニップ形成位置に移動させるように前記第３移動部を制御する、
請求項４に記載の定着装置。
【請求項６】
前記記録媒体は、連続紙である、
請求項１から５のいずれか一項に記載の定着装置。
【請求項７】
定着ベルト駆動ローラーと、
前記定着ベルトから離間させた離間位置と、前記定着ベルトに当接させて回転することで前記定着ベルトを従動回転させる当接位置との間で前記定着ベルト駆動ローラーを移動させる第４移動部と、
をさらに備え、
前記制御部は、前記印字時において前記定着ベルト駆動ローラーを前記離間位置に移動させる一方、前記印字時以外において前記定着ベルト駆動ローラーを前記当接位置に移動させるように前記第４移動部を制御する、
請求項１から６のいずれか一項に記載の定着装置。
【請求項８】
前記制御部は、前記印字時以外における前記定着ベルトの回転速度が前記印字時における前記加熱ローラーの回転速度より遅くなるように前記第４移動部を制御する、請求項７に記載の定着装置。
【請求項９】
前記定着面側部材は、前記印字時における前記加熱ローラーの回転により従動回転する、
請求項１から８のいずれか一項に記載の定着装置。
【請求項１０】
請求項１から９のいずれか一項に記載の定着装置を備えた画像形成装置。
【請求項１１】
印字時に、定着面側部材を第１圧接位置に移動させることにより、定着ベルトを介して裏面側支持部材に圧接させ、
印字時以外に、前記定着面側部材を第２圧接位置に移動させることにより、加熱ローラーに圧接させる、定着制御方法。
【発明の詳細な説明】
【技術分野】
【０００１】
本発明は、定着装置、画像形成装置および定着制御方法に関する。
【背景技術】
【０００２】
従来、複写機、プリンタ、ＦＡＸ等の電子転写方式の画像形成装置に用いられる定着装置としては、例えば、表層にゴム層を有して内部に熱源を有する加熱ローラーと、加熱ローラーに圧接する加圧ローラーとを備え、印字時に、これらのローラーにより、未定着のトナー像が形成された転写材（例えば記録紙）を挟持搬送しつつ加熱して、トナー像を記録紙に定着させるものがある（熱ローラー方式）。
【０００３】
また、例えば、内部に熱源を有する加熱ローラーと、上加圧ローラーと、これらのローラーに巻き掛けられた薄肉の無端状ベルト（以下、「定着ベルト」と称する）と、上加圧ローラーに圧接する下加圧ローラーとを備え、印字時に、上下の加圧ローラーにより記録紙を挟持搬送しつつ定着ベルトを介して加熱して、トナー像を記録紙に定着させるベルト方式の定着装置がある。ベルト方式の定着装置は、薄肉の定着ベルトを加熱するときに消費される熱量が、熱ローラー方式の定着装置において熱伝導率の低いゴム層を加熱するときに消費される熱量と比べて少ないため、省エネルギーに有効な構成を有する。
【０００４】
ところで、印字時に、上加圧ローラーが冷えていると、加熱ローラーによって加熱された定着ベルトの熱量が定着ニップで記録紙上のトナーを溶融する以外に上加圧ローラーを温めるのに使用され、複数枚の印字を行う場合に熱量が不足し、トナー像を定着させるために必要とされる定着温度が得られないことにより、定着不良が発生する場合がある。そこで、電源投入後のウォームアップ時や印字前の待機時といった印字時以外に、上加圧ローラーを常時もしくは断続的に回転させ、加熱ローラーによって加熱された定着ベルトの熱量を使って上加圧ローラーを暖気する。
【０００５】
しかし、上加圧ローラーに下加圧ローラーが圧接しているため、下加圧ローラーが上加圧ローラーから暖気用の熱を奪って、加熱される。これにより、無駄な熱量が消費される。また、暖気用の熱が奪われることで、上加圧ローラーの熱量が不足する結果、定着温度が得られず、定着不良が発生する場合がある。
【０００６】
特許文献１には、待機時に下加圧ローラーを解除し、上加圧ローラーに圧接させない技術が開示されている。
【先行技術文献】
【特許文献】
【０００７】
【特許文献１】特開２００５−２１５５８０号公報
【発明の概要】
【発明が解決しようとする課題】
【０００８】
上加圧ローラーを暖気するとき、上記の特許文献１に記載された技術のように、下加圧ローラーを上加圧ローラーに圧接させないことで、暖気用の熱が下加圧ローラーに奪われず、上加圧ローラーの熱量が不足しないで、定着温度を低下させることなく、安定した定着性能を得ることができる。しかしながら、下加圧ローラーを上加圧ローラーに圧接させないように構成しても、上加圧ローラーは、加熱ローラーによって加熱された定着ベルトを介して加熱されるため、上加圧ローラーの暖気効率が低くなってしまうという問題があった。
【０００９】
本発明の目的は、定着面側部材の暖気効率を向上させつつ、定着不良の発生を防止することが可能な定着装置、画像形成装置および定着制御方法を提供することである。
【課題を解決するための手段】
【００１０】
本発明に係る定着装置は、
トナー像が形成された記録媒体の定着面側に配置される定着面側部材と、
前記定着面側部材に巻き掛けられた定着ベルトと、
前記定着ベルトを介して前記定着面側部材に圧接された状態において、前記記録媒体を狭持して搬送する定着ニップを形成する裏面側支持部材と、
前記定着ベルトを内側から加熱する、回転可能な加熱ローラーと、
前記定着ベルトを介して前記裏面側支持部材に圧接する第１圧接位置と、前記加熱ローラーに圧接する第２圧接位置との間で、前記定着面側部材を移動させる第１移動部と、
印字時において前記定着面側部材を前記第１圧接位置に移動させる一方、印字時以外において前記定着面側部材を前記第２圧接位置に移動させるように前記第１移動部を制御する制御部と、
を備える。
【００１１】
本発明に係る画像形成装置は、上記定着装置を備える。
【００１２】
本発明に係る定着制御方法は、
印字時に、定着面側部材を第１圧接位置に移動させることにより、定着ベルトを介して裏面側支持部材に圧接させ、
印字時以外に、前記定着面側部材を第２圧接位置に移動させることにより、加熱ローラーに圧接させる。
【発明の効果】
【００１３】
本発明によれば、印字時以外に定着面側部材を加熱ローラーに圧接するため、定着面側部材を、定着ベルトを介することなく直接加熱し、定着面側部材を暖気することができる。これにより、定着面側部材の暖気効率を向上させつつ、定着不良の発生を防止することができる。
【図面の簡単な説明】
【００１４】
【図１】本実施の形態に係る画像形成装置の全体構成を概略的に示す図である。
【図２】本実施の形態に係る画像形成装置の制御系の主要部を示す図である。
【図３】本実施の形態に係る定着装置を概略的に示す図である。
【図４】本実施の形態に係る定着装置を概略的に示す図である。
【図５】本実施の形態に係る定着装置の動作例を示すフローチャートである。
【図６】変形例１に係る定着装置を概略的に示す図である。
【図７】変形例２に係る定着装置を概略的に示す図である。
【図８】変形例３に係る定着装置を概略的に示す図である。
【発明を実施するための形態】
【００１５】
以下、本実施の形態を図面に基づいて詳細に説明する。
図１は、本発明の実施の形態に係る画像形成装置１の全体構成を概略的に示す図である。図２は、本実施の形態に係る画像形成装置１の制御系の主要部を示す。画像形成装置１、給紙装置２および巻き取り装置３により、連続紙Ｐ及びカット紙Ｓを記録媒体として使用し、これらの記録媒体上に画像を形成する画像形成システム１００が構成される。以下、連続紙Ｐに画像を形成する構成とカット紙Ｓに画像を形成する構成とが共通する場合には、連続紙Ｐに画像を形成する構成を代表して説明し、異なる場合には、それぞれの構成を説明する。
【００１６】
図１に示すように、画像形成システム１００は、画像形成装置１と、連続紙Ｐの搬送方向（以下、用紙搬送方向とも言う）における画像形成装置１の上流側に配置される給紙装置２と、用紙搬送方向における画像形成装置１の下流側に配置される巻き取り装置３と、が接続されて構成される。
【００１７】
画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、給紙装置２から給紙された連続紙Ｐに転写（二次転写）することにより、画像を形成する。
【００１８】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１９】
給紙装置２は、連続紙Ｐを画像形成装置１へ給紙する装置である。給紙装置２の筐体内では、図１に示すように、ロール状の連続紙Ｐが支持軸に巻回されて回転可能に保持されている。給紙装置２は、支持軸に巻回された連続紙Ｐを、複数のローラー（例えば、繰り出しローラー、給紙ローラー）を経由して、一定の速度で外部へ搬送する。給紙装置２の給紙動作は、画像形成装置１が備える制御部１０１（図２参照）によって制御される。なお、給紙装置２において、連続紙Ｐは、必ずしもロール状に保持されている必要はなく、折り畳まれて保持されていても良い。また、図１には、一の連続紙Ｐのみが示されているが、給紙装置２の筐体内において複数の連続紙Ｐが保持されていても良い。
【００２０】
図２に示すように、画像形成装置１は、画像読取部１０、操作表示部２０、画像処理部３０、画像形成部４０、用紙搬送部５０、定着部６０、及び制御部１０１を備える。
【００２１】
制御部１０１は、ＣＰＵ（Central  Processing  Unit）１０２、ＲＯＭ（Read  Only  Memory）１０３、ＲＡＭ（Random  Access  Memory）１０４等を備える。ＣＰＵ１０２は、ＲＯＭ１０３から処理内容に応じたプログラムを読み出してＲＡＭ１０４に展開し、展開したプログラムと協働して画像形成装置１の各ブロック等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２２】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データを受信し、この画像データ（入力画像データ）に基づいて連続紙Ｐに画像を形成させる。通信部７１は、例えばＬＡＮカード等の通信制御カードで構成される。
【００２３】
画像読取部１０は、ＡＤＦ（Auto  Document  Feeder）と称される自動原稿給紙装置１１及び原稿画像走査装置１２（スキャナー）等を備えて構成される。
【００２４】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２５】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２６】
操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況等の表示を行う。操作部２２は、テンキー、スタートキー等の各種操作キーを備え、ユーザーによる各種入力操作を受け付けて、操作信号を制御部１０１に出力する。
【００２７】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２８】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２９】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００３０】
画像形成ユニット４１は、露光装置４１１、現像装置４１２、感光体ドラム４１３、帯電装置４１４、及びドラムクリーニング装置４１５等を備える。
【００３１】
感光体ドラム４１３は、例えばドラム径が８０［ｍｍ］のアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００３２】
制御部１０１は、感光体ドラム４１３を回転させる駆動モーター（図示せず）に供給される駆動電流を制御することにより、感光体ドラム４１３を一定の周速度で回転させる。
【００３３】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成される。
【００３４】
現像装置４１２は、二成分現像方式の現像装置であり、感光体ドラム４１３の表面に各色成分のトナーを付着させることにより静電潜像を可視化してトナー像を形成する。
【００３５】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３６】
中間転写ユニット４２は、中間転写ベルト４２１、一次転写ローラー４２２、複数の支持ローラー４２３、二次転写ローラー４２４、及びベルトクリーニング装置４２６等を備える。
【００３７】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３８】
中間転写ベルト４２１は、導電性および弾性を有するベルトであり、表面に体積抵抗率が８〜１１［ｌｏｇΩ・ｃｍ］である高抵抗層を有する。中間転写ベルト４２１は、制御部１０１からの制御信号によって回転駆動される。なお、中間転写ベルト４２１については、導電性および弾性を有するものであれば、材質、厚さおよび硬度を限定しない。
【００３９】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４０】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から連続紙Ｐへトナー像を転写するための二次転写ニップが形成される。
【００４１】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００４２】
その後、連続紙Ｐが二次転写ニップを通過する際、中間転写ベルト４２１上のトナー像が連続紙Ｐに二次転写される。具体的には、二次転写ローラー４２４に二次転写バイアスを印加し、連続紙Ｐの裏面側（二次転写ローラー４２４と当接する側）にトナーと逆極性の電荷を付与することにより、トナー像は連続紙Ｐに静電的に転写される。トナー像が転写された連続紙Ｐは定着部６０に向けて搬送される。
【００４３】
ベルトクリーニング装置４２６は、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成を採用しても良い。
【００４４】
用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別されたカット紙Ｓ（規格用紙、特殊用紙）が予め設定された種類毎に収容される。搬送経路部５３は、レジストローラー対５３ａ等の複数の搬送ローラー対を有する。
【００４５】
給紙トレイユニット５１ａ〜５１ｃに収容されているカット紙Ｓは、最上部から一枚ずつ送出され、搬送経路部５３により画像形成部４０に搬送される。このとき、レジストローラー対５３ａが配設されたレジストローラー部により、給紙されたカット紙Ｓの傾きが補正されるとともに搬送タイミングが調整される。そして、画像形成部４０において、中間転写ベルト４２１のトナー像がカット紙Ｓの一方の面に一括して二次転写され、定着部６０において定着工程が施される。また、給紙装置２から画像形成装置１へ給紙された連続紙Ｐは、搬送経路部５３により画像形成部４０に搬送される。そして、画像形成部４０において、中間転写ベルト４２１のトナー像が連続紙Ｐの一方の面に一括して二次転写され、定着部６０において定着工程が施される。画像形成された連続紙Ｐまたはカット紙Ｓは、排紙ローラー５２ａを備えた排紙部５２により機外に排紙される。
【００４６】
巻き取り装置３は、画像形成装置１から搬送されてきた連続紙Ｐを巻き取る装置である。巻き取り装置３の筐体内では、例えば、図１に示すように、連続紙Ｐが支持軸に巻回されてロール状に保持される。
【００４７】
定着部６０は、加熱ローラー６１、上加圧ローラー６２（本発明の「定着面側部材」に対応）、定着ベルト６３、下加圧ローラー６４（本発明の「裏面側支持部材」に対応）、上加圧ローラー移動部６６（本発明の「第１移動部」に対応）等で構成される。
【００４８】
定着部６０は、定着器Ｆ内にユニットとして配置される。定着部６０、および、定着部６０を制御する制御部１０１が、本発明の「定着装置」に対応する。
【００４９】
加熱ローラー６１は、アルミニウム等の熱伝導率の高い金属材料からなる中空構造のローラー部材であって、その円筒体の内部にはヒーター６１ａ（熱源）（図３参照）が設けられている。ヒーター６１ａは、ハロゲンヒーターであって、その両端部が定着器Ｆの側板（図示せず）に固定される。装置本体の電源部（交流電源）により出力制御されたヒーター６１ａからの輻射熱によって加熱ローラー６１が加熱される。制御部１０１は、ヒーター６１ａの点灯・消灯を制御する。また、制御部１０１は、加熱ローラー６１を回転・停止させるように加熱ローラー移動部６１ｂ（図２参照）を制御する。
【００５０】
図３は、印字時における定着装置を概略的に示し、図４は印字時以外における定着装置を概略的に示す。
【００５１】
上加圧ローラー６２は、連続紙Ｐの定着面（トナー像が形成されている面）側であって加熱ローラー６１の下方に、回転可能に配置される。上加圧ローラー６２は、ＳＵＳ３０４等の芯金上にシリコーンゴムからなる弾性層が形成されたローラー部材であって、下加圧ローラー６４に定着ベルト６３を介して圧接して定着ニップを形成する。制御部１０１は、上加圧ローラー６２を、定着ニップを形成するように下加圧ローラー６４に圧接する第１圧接位置（図３参照）と、加熱ローラー６１に圧接する第２圧接位置（図４参照）との間を移動させるように上加圧ローラー移動部６６を制御する。つまり、上加圧ローラー６２は、加熱ローラー６１と上加圧ローラー６２との間のスペースのみで上加圧ローラー６２を、定着ニップの位置にある連続紙Ｐから遠ざけることができる構成となっている。
【００５２】
定着ベルト６３は、樹脂材料からなるベース層上に、弾性層、離型層が順次積層された多層構造の無端状ベルトである。定着ベルト６３の弾性層は、フッ素ゴム、シリコーンゴム、発泡性シリコーンゴム等の弾性材料で形成されている。離型層は、ＰＦＡ（４フッ化エチレンパーフルオロアルキルビニルエーテル共重合体樹脂）、ポリイミド樹脂、ポリエーテルイミド樹脂、ＰＥＳ（ポリエーテルサルフォン樹脂）、等で形成されている。離型層を設けることにより、トナー像に対する離型性が担保される。
【００５３】
定着ベルト６３は、上加圧ローラー６２と加熱ローラー６１とに巻き掛けられている。定着ベルト６３は、上加圧ローラー６２が第１圧接位置に移動されたとき、上加圧ローラー６２と加熱ローラー６１とに張力（テンション）をかけられて支持される。このとき、定着ベルト６３は、上加圧ローラー６２と下加圧ローラー６４とにより挟まれ、定着ベルト６３と共に挟まれた連続紙Ｐを加熱する。一方、定着ベルト６３は、上加圧ローラー６２が第２圧接位置に移動されたとき、張力が解除され、加熱ローラー６１に対しては自重のみで接している状態となる。
【００５４】
定着ベルト６３の内面に対する加熱ローラー６１の表面の摩擦係数は、定着ベルト６３が加熱ローラー６１に対し自重のみで接している状態で、加熱ローラー６１の回転（図４に示す時計回りの方向の回転）に対し定着ベルト６３を滑らせるように設定される。このような摩擦係数は、加熱ローラー６１を表面処理し、また、加熱ローラー６１にコーティングなどをすることにより得られる。なお、このような摩擦係数は、定着ベルト６３の表面処理等により得られるようにしても良く、加熱ローラー６１および定着ベルト６３の両方の表面処理等により得られるようにしても良い。
【００５５】
下加圧ローラー６４は、連続紙Ｐの裏面（定着面の反対の面）側に、回転可能に配置される。下加圧ローラー６４は、主として、芯金と、芯金の外周面に接着層を介して形成された弾性層とからなる。
【００５６】
次に、本実施の形態に係る定着装置の動作例について説明する。ここでは、定着装置の動作として、電源が投入されると、ウォームアップ動作が実行され、ウォームアップ後、待機動作が実行され、待機中に印字の指示があると印字動作が実行され、印字が終了すると待機動作に戻ることを一例に挙げて説明する。印字動作が実行される時が本発明の「印字時」に対応し、ウォームアップ動作や待機動作が実行される時が本発明の「印字時以外」に対応する。
【００５７】
電源が投入される前、ヒーター６１ａは消灯している。このため、加熱ローラー６１は冷えた状態にある。また、加熱ローラー６１は回転していない。上加圧ローラー６２は、第２圧接位置に位置し、加熱ローラー６１に圧接している。
【００５８】
ウォームアップ時、制御部１０１は、ヒーター６１ａを点灯制御する。これにより、加熱ローラー６１の温度が上昇する。また、制御部１０１は、加熱ローラー６１を正転方向（図４に矢印で示す時計回りの方向）に回転させるように加熱ローラー移動部６１ｂを制御する。上加圧ローラー６２が加熱ローラー６１に圧接しているため、加熱ローラー６１の温度の上昇に応じて上加圧ローラー６２の表面全体が温められる（上加圧ローラー６２の暖気）。
【００５９】
ウォームアップ時、定着ベルト６３の張力が解除された状態であり、加熱ローラー６１に対しては自重のみで接している状態である。この状態で、定着ベルト６３の内面に対する加熱ローラー６１の表面の摩擦係数は、加熱ローラー６１の回転に対し滑らせるように設定されているため、定着ベルト６３は回転することがなく、定着ベルト６３の熱が連続紙Ｐに運ばれない。
【００６０】
ウォームアップ時、制御部１０１は、温度センサー６２ａ（図２参照）により検出された上加圧ローラー６２の温度が待機温度に到達したことを判断した場合、加熱ローラー６１を待機動作させる。
【００６１】
待機時、制御部１０１は、加熱ローラー６１を連続回転させて、または、断続的に回転・停止を繰り返させて、上加圧ローラー６２の温度を定着不良が発生しない温度に維持するように、加熱ローラー移動部６１ｂを制御する。これにより、上加圧ローラー６２の温度を暖気状態（図４参照）に維持することができる。
【００６２】
つまり、ウォームアップ時および待機時では、加熱ローラー６１の熱量が上加圧ローラー６２の暖気や暖気状態の維持に使われるため、無駄な熱量を消費することがなく、次の印字開始時に温度の落ち込みがない安定した定着性能を得ることができる。
【００６３】
次に、ウォームアップ後の定着装置の動作例について図５を参照して説明する。図５は、ウォームアップ後の定着装置の動作例を示すフローチャートである。
【００６４】
ステップＳ１００の処理は、ウォームアップ後に開始する。制御部１０１は、印字時であるかどうかを判断する（ステップＳ１００）。
【００６５】
制御部１０１が印字時であると判断した場合（ステップＳ１００：ＹＥＳ）、制御部１０１は、上加圧ローラー６２が第１圧接位置（図３参照）にあるかどうかを判断する（ステップＳ１１０）。上加圧ローラー６２が第１圧接位置にあると制御部１０１が判断しない場合（ステップＳ１１０：ＮＯ）、処理はステップＳ１２０に移行する。上加圧ローラー６２が第１圧接位置にあると制御部１０１が判断した場合（ステップＳ１１０：ＹＥＳ）、図５における処理は終了する。
【００６６】
ステップＳ１２０において、制御部１０１は、上加圧ローラー６２を第２圧接位置（図４参照）から第１圧接位置に移動させるように上加圧ローラー移動部６６を制御する。これにより、定着ベルト６３に張力がかかるため、上加圧ローラー６２がベルト駆動される。また、定着ベルト６３および連続紙Ｐが上加圧ローラー６２と下加圧ローラー６４とにより挟まれるため、連続紙Ｐ上の未定着のトナー像が、定着ニップで加熱、加圧されて、連続紙Ｐに定着される。
【００６７】
ステップＳ１００において、制御部１０１が印字時以外であると判断した場合（ステップＳ１００：ＮＯ）、制御部１０１は、上加圧ローラー６２が第２圧接位置にあるかどうかを判断する（ステップＳ１３０）。上加圧ローラー６２が第２圧接位置にあると判断しない場合（ステップＳ１３０：ＮＯ）、処理はステップＳ１４０に移行する。上加圧ローラー６２が第２圧接位置にあると判断した場合（ステップＳ１３０：ＹＥＳ）、図５における処理は終了する。
【００６８】
ステップＳ１４０において、制御部１０１は上加圧ローラー６２を第１圧接位置から第２圧接位置に移動させるように上加圧ローラー移動部６６を制御する。これにより、上加圧ローラー６２が暖気状態となる。
【００６９】
本発明の実施の形態に係る定着装置では、制御部１０１が印字時に上加圧ローラー６２を第１圧接位置に移動させて定着ベルト６３に張力をかける一方、印字時以外に上加圧ローラー６２を第２圧接位置に移動させて張力を解除するように上加圧ローラー移動部６６を制御する。
【００７０】
これにより、印字時以外に上加圧ローラー６２を加熱ローラー６１と圧接、回転することで、上加圧ローラー６２の表面を直接加熱し、暖気することができるため、無駄な熱量を消費することなく、次の印字開始時に定着温度の落ち込みがなく安定した定着性能を得ることができる。
【００７１】
また、加熱ローラー６１と上加圧ローラー６２との間のスペースのみで上加圧ローラー６２を、定着ニップの位置にある連続紙Ｐから遠ざけることができる構成であるため、省スペースに構成することができる。
【００７２】
さらに、印字時以外は定着ベルト６３の張力が解除された状態となるため、定着ベルト６３にかかるストレスがなく耐久性を上げることができる。
【００７３】
さらに、上加圧ローラー６２が定着ニップの位置から離れているため、連続紙Ｐが上加圧ローラー６２からの熱によるダメージを受けることがなく、ヤレ紙とならない。
【００７４】
さらに、加熱ローラー６１の定着ベルト６３に対する摩擦係数が、印字時以外における加熱ローラー６１の回転に対し定着ベルト６３を滑らせるように設定されている。これにより、定着ベルト６３を回転させないため、連続紙Ｐへ熱が運ばれず、すなわち連続紙Ｐが加熱されることがなく、ヤレ紙とならないため、連続紙Ｐが、ウォームアップ時や待機時に無駄に消費されることを防止することができる。
【００７５】
（変形例１）
本実施の形態の変形例１に係る定着装置について、図６を参照して説明する。
上記の実施の形態では、制御部１０１は、印字時、印字時以外に拘わらず加熱ローラー６１を同じ方向（例えば図３に示す時計回りの方向）に回転させるように加熱ローラー移動部６１ｂを制御する。また、印字時以外に定着ベルト６３の張力が解除され、加熱ローラー６１に対し定着ベルト６３が自重のみで接しているとき、加熱ローラー６１が回転しても定着ベルト６３が滑るように、加熱ローラー６１の表面の定着ベルト６３の内面に対する摩擦係数が低く設定される。このような構成では、摩擦係数が低く過ぎると、印字時に加熱ローラー６１からの駆動力を定着ベルト６３に十分に伝えられず、摩擦係数を少しでも高くすると、印字時以外に定着ベルト６３が滑らないで、回転してしまい、定着ベルト６３の熱が連続紙Ｐに近づいて、連続紙Ｐが加熱され、ダメージを受けるおそれがある。
【００７６】
これに対し、変形例１では、制御部１０１は、加熱ローラー６１を印字時に正転方向（例えば時計回りの方向）に回転させ、印字時以外に逆転方向（図６に示す反時計回りの方向）に回転させるように加熱ローラー移動部６１ｂを制御する。この場合、定着ベルト６３に対する加熱ローラー６１の表面の摩擦係数は、加熱ローラー６１が正転方向に回転する場合に高くなるように設定され、加熱ローラー６１が逆転方向に回転する場合に低くなるように設定される。これにより、印字時は加熱ローラー６１からの駆動力を定着ベルト６３に十分に伝えられるため安定した回転を得られ、印字時以外は定着ベルト６３を加熱ローラー６１に対し滑らせることで、定着ベルト６３の熱が連続紙Ｐに近づくことがない。
【００７７】
このような摩擦係数は、加熱ローラー６１を表面処理し、また、加熱ローラー６１にコーティングなどをすることにより得られる。なお、このような摩擦係数は、定着ベルト６３の表面処理等により得られるようにしても良く、加熱ローラー６１および定着ベルト６３の両方の表面処理等により得られるようにしても良い。
【００７８】
（変形例２）
本実施の形態の変形例２に係る定着装置について、図７を参照して説明する。
上記の実施の形態では、印字時以外に定着ベルト６３の張力が解除され、定着ベルト６３が加熱ローラー６１に対し自重のみで接している状態で、加熱ローラー６１が回転しても定着ベルト６３を滑らせるように、摩擦係数が設定されている。
【００７９】
しかし、加熱によって高温になると熱膨張によって定着ベルト６３の周長が長くなり、また剛性（コシ）が弱くなって印字後すぐの時点で定着ベルト６３の下端部６３ａ（本発明の「弛んだ部分」に対応）が定着ニップの位置近くなる。これにより、連続紙Ｐが定着ベルト６３側の熱の影響を受けるおそれがある。そこで、積極的に定着ベルト６３の下端部６３ａを定着ニップの位置から遠ざける必要がある。
【００８０】
変形例２では、上記の実施の形態の構成に加えて、支持部材６５（図７参照）および支持部材移動部６７）（図２参照）を有する。
【００８１】
支持部材移動部６７（本発明の「第２移動部」に対応）は、支持部材６５を、加熱ローラー６１と上加圧ローラー６２との間の位置に近い近傍位置と、その位置から定着ベルト６３の外側に向かって水平な方向（図７に示す矢印の方向）へ離れた遠隔位置との間を移動させる。制御部１０１は、印字時以外に上加圧ローラー６２を第２圧接位置に移動させるように上加圧ローラー移動部６６を制御するとともに、支持部材６５を遠隔位置に移動させて、定着ベルト６３の下端部６３ａを定着ニップの位置からより遠ざけるように、支持部材移動部６７を制御する。これにより、定着ベルト６３の下端部６３ａによって、連続紙Ｐが加熱されることがなく、ヤレ紙とならない。
【００８２】
なお、連続紙Ｐに対して熱の影響のない距離まで定着ベルト６３の下端部６３ａを遠ざけることができれば、定着ベルト６３に張力がかかるまで支持部材６５を移動しても良い。また、支持部材６５を印字時に定着ベルト６３のテンションローラーとして使用しても良いし、上加圧ローラー６２の上流に近い位置で定着ベルト６３の面を保持する張架ローラーとして使用しても良い。
【００８３】
また、下加圧ローラー６４を、定着ニップを形成するニップ形成位置と定着ニップを形成しない非ニップ形成位置との間を移動させる下加圧ローラー移動部６８（本発明の「第３移動部」に対応）を備え、制御部１０１が印字時以外に下加圧ローラー６４をニップ形成位置から非ニップ形成位置に移動（図７に移動方向を矢印で示す）するように下加圧ローラー移動部６８を制御しても良い。連続印字を行った場合は、下加圧ローラー６４も上加圧ローラー６２の熱量で温められるため、印字時から印字時以外（例えば待機時）に遷移したとき、上加圧ローラー６２ばかりでなく下加圧ローラー６４も連続紙Ｐから遠ざけることで、連続紙Ｐのダメージを軽減することができる。
【００８４】
（変形例３）
上記の実施の形態では、ウォームアップ時や待機時などの印字時以外に、加熱ローラー６１が回転しても、定着ベルト６３が滑るように構成される（図４参照）。このため、定着ベルト６３においては、加熱ローラー６１に掛かっている部分のみ温められて、それ以外の部分は冷えた状態となっている。印字時（図３参照）に定着ベルト６３が回転して連続紙Ｐ上の未定着のトナー画像を定着することになるが、印字開始直後の定着ベルト６３は、部分的に温度差があるため、光沢ムラなどの画像不良が発生する場合がある。画像不良を発生させないため、印字時以外に、定着ベルト６３を回転させることにより、部分的に温度差が生じないようにする必要がある。また、定着ベルト６３を回転させると、定着ベルト６３の熱が定着ニップの位置にある連続紙Ｐに運ばれ、連続紙Ｐを加熱するおそれがあるため、定着ベルト６３の熱を連続紙Ｐが受けないような速度で定着ベルトを回転させる必要がある。
【００８５】
本実施の形態の変形例３に係る定着装置について、図８を参照して説明する。
変形例３では、上記の実施の形態の構成に加えて、ベルトローラー６５ａおよび定着ベルト駆動ローラー移動部６９（図２参照）を有する。
【００８６】
定着ベルト駆動ローラー移動部６９（本発明の「第４移動部」に対応）は、ベルトローラー６５ａを、定着ベルト６３から離間させた離間位置と、定着ベルト６３に当接させて回転することで定着ベルト６３を回転させる当接位置との間を移動させる。制御部１０１は、ベルトローラー６５ａを印字時に離間位置に移動させ、印字時以外に当接位置に移動させるように定着ベルト駆動ローラー移動部６９を制御する。なお、定着ベルト６３の外面にはトナー像の定着に関与する領域である画像領域と、それ以外の画像領域外とがある。この場合、ベルトローラー６５ａは定着ベルト６３の全面（画像領域および画像領域外）に当接する軸ローラーとしても良いが、定着ベルト６３の画像領域外に当接するようにしても良い。
【００８７】
印字時以外に、ベルトローラー６５ａを定着ベルト６３に当接させて回転することで定着ベルト６３を独立して回転させることができるため、部分的に温度差を生じないようにすることができ、定着ベルト６３の一部のみを加熱することで生じる光沢ムラなどの画像不良を抑制することができる。さらに、加熱ローラー６１で熱せられた定着ベルト６３を定着ニップに到達するまでに放熱できる速度で回転させれば、定着ニップの位置にある連続紙Ｐを加熱することがない。
【００８８】
ウォームアップ時や待機時などの印字時以外には、上加圧ローラー６２の表面を均一に効率良く温める必要があるため、加熱ローラー６１の回転速度を速くする必要がある。一方で、定着ベルト６３が定着ニップに到達するまでに放熱し、定着ベルト６３の熱によって定着ニップの温度を高くしないように、定着ベルト６３の回転速度を遅くする必要がある。このため、定着ベルト６３の外面に対するベルトローラー６５ａの摩擦係数は、定着ベルト６３の内面に対する加熱ローラー６１の摩擦係数に対して高くなるように設定される。これにより、加熱ローラー６１の駆動による回転速度と定着ベルト６３の回転速度を変えることができ、印字時以外における加熱ローラー６１の回転速度（周速）を、定着ベルト６３の回転速度（周速）より速くすることができる。印字時以外には、加熱ローラー６１に対し定着ベルト６３が滑るようになる。
【００８９】
また、印字時には連続紙Ｐ上の未定着のトナー像を定着させるため、定着ベルト６３を所定の速度で回転させる必要がある。これに対し、印字時以外には、前述するように、定着ベルト６３の回転速度を遅くする必要がある。そこで、制御部１０１は、印字時以外における定着ベルト６３の回転速度を印字時における定着ベルト６３を回転速度より遅くするように定着ベルト駆動ローラー移動部６９を制御する。これにより、安定した定着性能を得ることができ、また、定着ニップの位置に位置する連続紙Ｐを定着ベルト６３によって加熱することがなく、ヤレ紙とならない。
【００９０】
なお、上記の実施の形態では、連続紙Ｐを使用する場合について説明したが、これに限らない。例えば、カット紙Ｓを使用する場合、ウォームアップ時や待機時などの印字時以外に、制御部１０１が上加圧ローラー６２を第２圧接位置に移動させて、上加圧ローラー６２を加熱ローラー６１に圧接させるように上加圧ローラー移動部６６を制御するようにしても良い。これにより、加熱ローラー６１の熱が主に上加圧ローラー６２を暖気や暖気状態の維持に使われ、無駄な熱量を消費することなく、安定した定着性能を得ることができる。
【００９１】
また、上記の実施の形態では、本発明の定着面側部材に対応する構成として上加圧ローラー６２を示したが、これに限らない。例えば、定着面側部材は、シリコーンゴム、フッ素ゴムなどの弾性体もしくは耐熱性の樹脂、金属から構成された定着パッドであっても良い。定着パッドの定着ベルトと接触する面に摺動性の高い層をコートしても良い。また、制御部１０１は、定着パッドを、印字時に裏面側支持部材（下加圧ローラー）の方向に転換させて、裏面側支持部材とで定着ニップを形成するように、かつ、印字時以外に加熱ローラーの方向に転換させて、加熱ローラーに圧接させるように移動部（図示せず）を制御すれば良い。
【００９２】
その他、上記実施の形態は、何れも本発明の実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００９３】
６０  定着部
６１  加熱ローラー
６１ａ  ヒーター
６２  上加圧ローラー
６３  定着ベルト
６４  下加圧ローラー
６５  支持部材
６５ａ  定着ベルト駆動ローラー
６６  上加圧ローラー移動部
６７  支持部材移動部
６８  下加圧ローラー移動部
６９  定着ベルト駆動ローラー移動部
１０１  制御部
【図１】
2017058586.tif 000003
【図２】
2017058586.tif 000004
【図３】
2017058586.tif 000005
【図４】
2017058586.tif 000006
【図５】
2017058586.tif 000007
【図６】
2017058586.tif 000008
【図７】
2017058586.tif 000009
【図８】
2017058586.tif 000010